(57)【特許請求の範囲】
【請求項１】
マンモグラフィ装置のための対象物台であって、レントゲンフィルムカセット（５）のための貫通したトンネル（４）と、トンネル（４）内に配置された、カセット（５）のためのロック装置（３７，４３，４４）とが設けられており、該ロック装置（３７，４３，４４）は第１のストッパ（１２，３４，４１）と第２のストッパ（１３，３５，４２）とを有しており、これらのストッパのうち少なくとも１つのストッパ（１２，１３，３４，３５，４１，４２）が、カセット（５）がトンネル（４）内に取り付けられている場合にストッパ（１２，１３，３４，３５，４１，４２）が、カセット（５）の狭幅側（２４，２５）に密に当接するようにばね負荷されている形式のものにおいて、
ロック装置（３７，４３，４４）が、その長手方向でばね負荷された少なくとも１つのアーム（１０，１１，３０，３１，３９）を有していて、該アームの一方の端部に第１のストッパ（１２，３４，４１）が設けられていて、前記アーム（１０，１１，３０，３１，３９）が長手方向で摺動可能であって、第２のストッパ（１３，３５，４２）が、アーム（１０，１１，３０，３１，３９）の長手方向に対して垂直に摺動可能に配置されていることを特徴とする、マンモグラフィ装置のための対象物台。
【請求項２】
ロック装置（３７，４３，４４）が、長手方向でばね負荷された１つの第２のアーム（１０，１１，３０，３１，３９）を有しており、該第２のアームに第２のストッパ（１３，３５，４２）が取り付けられている、請求項１記載の対象物台。
【請求項３】
複数のアーム（１０，１１，３０，３１，３９）が互いに軸が整合するように位置していて、これらのアームの自由端部がそれぞれ、回転可能な歯車（１６，１７）にそれぞれ１つの軸（２０，２１）を介して回動可能に結合されており、該軸（２０，２１）は歯車（１６，１７）に偏心的に配置されていて、これらの歯車（１６，１７）は同じ平面に配置されていて、互いに噛み合っており、この場合、アーム（１０，１１）はばね（８，９，２８，２９，３８）によって長手方向位置で緊張可能である、請求項１または２記載の対象物台。
【請求項４】
ロック装置（３７，４３，４４）が、トンネル（４）の底面（７）に取り付けられており、底面（７）内に沈められていて、ストッパ（１２，１３，３４，３５，４１，４２）だけが底面を越えて突出している、請求項１から３までのいずれか１項記載の対象物台。
【発明の詳細な説明】
【０００１】
【発明の属する技術分野】
本発明は、マンモグラフィ装置のための対象物台であって、レントゲンフィルムカセットのための貫通したトンネルと、トンネル内に配置された、カセットのためのロック装置とが設けられており、該ロック装置は第１のストッパと第２のストッパとを有しており、これらのストッパのうち少なくとも１つのストッパが、カセットがトンネル内に取り付けられている場合にストッパが、カセットの狭幅側に密に当接するようにばね負荷されている形式のものに関する。
【０００２】
【従来の技術】
このような形式のロック装置を備えた対象物台は、ジーメンス社（Siemens）の、「Because she deserves the very best MAMMOMAT 3000 Nova」というタイトルのパンフレットに開示されている。この場合、ロック装置は円弧状に湾曲された板ばねであって、この板ばねはトンネル壁の１つに固定されていて、板ばねの端部には、冒頭で述べた形式のストッパが設けられている。トンネル内に取付けられたカセットを取り外す場合、もしくはカセットを交換する場合には、オペレータが一方の手で、ストッパの１つをトンネル壁の方向に摺動させ、これによりストッパがカセットの狭幅側から離される。同時に、オペレータは、他方の手でカセットの他方の狭幅側をトンネル内に押し込むことによりカセットをトンネルから取り出す。カセットの取り外しもしくは交換は、両手でしか行うことができない。
【０００３】
【非特許文献１】
ジーメンス社のパンフレット「Because she deserves the very best MAMMOMAT 3000 Nova」
【０００４】
【発明が解決しようとする課題】
本発明の課題は、冒頭で述べた形式のロック装置を備えた対象物台を改良して、カセットの取り外しまたは交換を簡単に、片手で実行できるようにすることである。
【０００５】
【課題を解決するための手段】
この課題を解決するために本発明の構成では、ロック装置が、その長手方向でばね負荷されたの少なくとも１つのアームを有していて、該アームの一方の端部に第１のストッパが設けられていて、前記アームが長手方向で摺動可能であって、第２のストッパが、アームの長手方向に対して垂直に摺動可能に配置されているようにした。
【０００６】
【発明の効果】
上記の形式のロック装置内で緊定されているカセットを取り外す場合には、オペレータが一方の手の１つの指で、第２のストッパを、アームの長手方向に対して垂直に摺動させ、これによりストッパがカセットの狭幅側から離される。この場合、トンネル内に挿入されたカセットにより著しくばね負荷されたアームの第１のストッパが自動的にカセットを、オペレータがカ把持できるようになるまで外方に押す。
【０００７】
本発明によるロック装置の有利な構成では、ロック装置が、長手方向でばね負荷された１つの第２のアームを有しており、該第２のアームに第２のストッパが取り付けられている。ロック装置のこのような構成により、カセットがストッパ間に導入された状態で、著しくばね負荷された両アームの両ストッパが、カセットの両狭幅側を押圧する。オペレータは、カセットを取り出す際に、どのトンネル開口からカセットを取り出すべきかを選択することができる。これは、オペレータがまず最初に押し出したいと所望するカセットの狭幅側から、片手でストッパを離すことにより行われる。この場合、カセットの他方の狭幅側に押し付けられたばね負荷されたストッパが、カセットを自動的に押し出す。
【０００８】
本発明の有利な別の構成では、ロック装置の比較的高度な構成が提案されており、この場合、複数のアームが互いに軸が整合するように位置していて、これらのアームの自由端部がそれぞれ、回転可能な歯車にそれぞれ１つの軸を介して回動可能に結合されており、該軸は歯車に偏心的に配置されていて、これらの歯車は同じ平面に配置されていて、互いに噛み合っており、この場合、アームはばねによって長手方向位置で緊張可能である。この場合も、オペレータは、上述のように、どのトンネル開口から、対象物台内に挿入されたカセットを片手で自動的に取り出すべきかを選択することができる。
【０００９】
本発明の構成は有利には、ロック装置が、トンネルの底面に取り付けられており、底面内に沈められていて、ストッパだけが底面を越えて突出している。従って、カセットを、対象物台のトンネル内に挿入することは簡単である。
【００１０】
【発明の実施の形態】
次に図面につき本発明の実施の形態を詳しく説明する。
【００１１】
図１には、対象物台１の側方図が示されている。この対象物台１は、軸２を介して、レントゲン管（図示せず）のためのアーム３に固定されている。対象物台１には一貫したトンネル４が設けられており、このトンネル４内にレントゲンフィルムカセット５が挿入可能である。この図には、カセット５のための後述するロック装置用の後で詳しく説明する２つの掛止装置２３のうちの１つも示されている。この場合、ロック装置は、トンネル４の底面７に配置されている。
【００１２】
図２には、カセット５のためのロック装置４３が平面図で示されている。ロック装置４３は上述したようにトンネル４の底面７に取り付けられている。ここではいわゆる停止位置で示されているロック装置４３は、長手方向でばね８，９によって負荷される、互いに軸線が整合して配置されている２つのアーム１０，１１を有している。これら２つのアームの外側の端部には、それぞれ１つのストッパ１２，１３が設けられている。ばね８の一方の端部はアーム１０に、アーム１０から突出したフック１４を介して結合されており、ばね８の他方の端部は、底面７に結合されている。ばね９の一方の端部はアーム１１に、アーム１１から突出したフック１５を介して結合されており、ばね９の他方の端部は、底面７に結合されている。アーム１０，１１の内側の端部は、軸１８，１９を中心として回転可能なそれぞれ１つの歯車１６，１７に、それぞれ１つの軸２０，２１を介して回転可能に結合されている。アーム１０，１１の軸２０，２１は、歯車１６，１７に偏心的に配置されている。歯車１６，１７は同一平面に配置されていて、互いに噛み合っている。ロック装置４３はトンネル４の底面７に沈められているので、ストッパ１２，１３だけが底面７を越えて上方に突出している。
【００１３】
対象物台１へのカセット５の挿入は、トンネルの両開口部から行うことができる。カセット５を図２及び図３の図平面の右側から挿入する場合には、ストッパ１３が図２及び図３の図平面の上方に摺動され、カセット５がトンネル内に挿入できるようになる。これによりアーム１１は軸２１を中心として回動される。トンネル４内にカセット５が取り付けられている場合には、アーム１０，１１のこのような動きを妨げる掛止装置２２，２３（後述する）は、ロック装置４３が停止位置にある場合にはこのような運動を許す。カセット５はまず最初に、カセットの一方の狭幅側２４が、アーム１０のストッパ１２に達するまでトンネル４内に挿入される。カセット５が手動でトンネル４にさらに導入されると、アーム１０は長手方向で摺動され、これと同時に、アーム１０は、軸２０を介して歯車１６に結合されているので、歯車１６を反時計回りに回転させ、この場合、ばね８が引っ張られる。歯車１７は今や同時に、同程度に回転されるが、ただし時計回りで回転される。この場合、アーム１１とストッパ１３とは、アーム１１が歯車１７に軸２１を介して結合されているので、長手方向でアーム１０と同じ距離だけ摺動される。この場合、アーム１１のばね９も引っ張られる。ストッパ１２，１３の間の間隔が十分に大きいならば、カセット５は、ストッパ１２が、カセット５の一方の狭幅側２４に対してばね弾性的に当接し、ストッパ１３がカセット５の他方の狭幅側２５にばね弾性的に当接するように配置されている。このことは図３に示されている。
【００１４】
図２及び図３の図平面の左側からカセット５が挿入される場合には、ストッパ１２は、カセット５をトンネル４内に挿入できるようにずらされる。次いで既に説明した過程が鏡像対称的に行われる。
【００１５】
カセット５が対象物台１内に挿入されている場合には、掛止装置２２，２３が、図３に示したように、アーム１０，１１のストッパ１２，１３を掛止するので、アーム１０，１１は軸２０，２１を中心として回動することはできない。図１に示した掛止装置２２，２３は、ばね弾性的な押しボタン２６から成っていて、押しボタンの自由端部には舌片２７が設けられていて、この舌片２７は、カセット５が対象物台１内に挿入されている場合にアーム１０，１１に対して当接する。
【００１６】
カセット５の取り外しもしくは交換の際に、カセットが図２及び図３の図平面の右側から引き出される場合は、掛止装置２３のボタン２６が指で下方に押し込まれる。これにより舌片２７がアーム１１の下側に位置するようになる。同時に、別の指でストッパ１３がずらされ、即ちアーム１１は軸２１を中心として回転し、これによりストッパ１３は、カセット５の狭幅側２５から離される。ストッパ１３のこのような位置では、ストッパ１２はばね負荷されたアーム１０によってカセット５をトンネル４から押し出し、オペレータがカセット５を把持できるようになる。
【００１７】
オペレータがカセット５を図２及び図３の図平面の左側から引き出そうとする場合、掛止装置２２のためのボタン２６が下方に押される。次いで、ストッパ１２が上述したようにカセット５の狭幅側から離されて、この場合、ばね負荷されたアーム１１のストッパ１３が、カセット５を、オペレータが把持できるようになるまで押し出す。
【００１８】
図４には、本発明によるロック装置４４の簡略化された構成が示されている。このロック装置４４は、ここでは、ばね２８，２９によって負荷されて互いに軸が整合するように配置された２つのアーム３０，３１を有している。これらのアーム３０，３１はトンネル４の底面７内に沈められていて、部分的に、それぞれ１つの中空室３２，３３内に進入している。中空室３２，３３は、アーム３０，３１の運動を安定化させるために設けられている。図示されているように、下降部は楔状に形成されているので、アーム３０，３１の外側の端部は部分的に側方にずらすことができる。アーム３０，３１の外側の端部にはストッパ３４，３５が設けられていて、これらのストッパ３４，３５は、トンネル底面７を越えて上方に突出している。カセット５を装填する場合、例えばストッパ３５が、ひいてはアーム３１も、下降部の一方の縁部３６に向かってずらされる。この場合、カセット５は、今や、対象物台１のトンネル４内に導入することができる。対象物台１は図１に示されている。カセット５はカセット５の一方の狭幅側がアーム３０のストッパ３４に達するまで挿入され、さらに、カセット５の他方の狭幅側が、アーム３１のストッパ３５に対して当接するように位置するまで挿入される。アーム３０のばね２８の力が部分的にアーム３１に伝えられる。この場合、カセット５が挿入されている状態で、ストッパ３４，３５は均一に分配されたばね力によってカセット５の狭幅側に対して当接する。図にはストッパ３４，３５の一点鎖線で示された輪郭によって、カセット５が挿入され緊定された状態におけるストッパ３４，３５の位置が示されている。オペレータは、どのトンネル開口からカセット５を取り出すべきかを選択することができる。この場合、ストッパ３４，３５の１つが、図１及び図２との関連で説明したようにカセット５から離される。
【００１９】
図５には、本発明の極めて簡略化されたロック装置３７の構成が示されている。このロック装置３７は、１つのばね３８によって負荷される１つのアーム３９しか有しておらず、このアーム３９は１つのストッパ４１を備えている。この場合、アーム３９とばね３８とはトンネル底面７に沈められている。アーム３９の一部はアーム３９を安定化させるために中空室４０に配置されている。ロック装置３７は第２のストッパ４２も有していて、このストッパ４２が、アーム３９の長手方向に対して垂直に摺動可能である。カセット５を装填する場合には、ストッパ４２は、ストッパ４２の一点鎖線で示した位置にもたらされる。今や、カセット５を対象物台１のためのトンネル４（図１）内に挿入することができ、既に説明した実施例のように、アーム３９を、カセット５が、ストッパ４１と、今やばね弾性的に戻されたストッパ４２との間にもたらされているような位置に達するまで外方に押す。このような形式のロック装置では、カセット５は、１つのトンネル開口からしか取り出すことができない。ストッパ４２がカセット５から離されると、ストッパ４１はカセット５をばね力によって、ストッパ４２が存在しているトンネル開口から外方へ押し出す。
【図面の簡単な説明】
【図１】本発明によるロック装置の一部を備えた対象物台の側方図である。
【図２】停止位置にある本発明によるロック装置の平面図である。
【図３】作業位置にある図２のロック装置の平面図である。
【図４】本発明によるロック装置の別の構成を示す平面図である。
【図５】本発明によるロック装置のさらに別の構成を示す平面図である。
【符号の説明】
１  対象物台、  ２  軸、  ３  対象物台のアーム、  ４  トンネル、  ５  レントゲンフィルムカセット、  ７  底面、  ８，９，２８，２９，３８  ばね、  １０，１１，３０，３１，３９  アーム、  １２，１３，３４，３５，４１，４２  ストッパ、  １４，１５  フック、  １６，１７  歯車、  １８，１９歯車の軸、  ２０，２１  アームの軸、  ２２，２３  掛止装置、  ２４，２５  カセットの狭幅側、  ２６  押しボタン、  ２７  舌片、  ３７，４３，４４  ロック装置、  ３２，３３，４０  中空室、  ３６  縁部
【図１】
0004035428.tif 000002
【図２】
0004035428.tif 000003
【図３】
0004035428.tif 000004
【図４】
0004035428.tif 000005
【図５】
0004035428.tif 000006